(57)【特許請求の範囲】
【請求項１】
（ａ）下記一般式（１）で表される構成単位（ａ１）、下記一般式（２）で表される構成単位（ａ２）、及び下記一般式（３）で表される化合物を重合して得られる構成単位（ａ３）を含有する高分子化合物、（ｂ）界面活性剤、並びに（ｃ）水を含有する硬質表面用洗浄剤であって、
（ａ）における構成単位（ａ１）及び構成単位（ａ２）のモル比が、（ａ１）／（ａ２）で２０〜１．５であり、
（ａ）の構成単位中、構成単位（ａ３）が０．０１〜１０モル％である、
（ｂ）として、炭素数１０〜１８の高級脂肪酸のアルカリ金属塩、あるいはエタノールアミン塩、あるいはアンモニウム塩を含有する、
硬質表面用洗浄剤。
【化１】
0005197927.tif 000004
〔式中、Ｒ1は炭素数１〜３のアルキル基であり、Ｒ2、Ｒ3、Ｒ4は、それぞれ独立して、水素原子又は炭素数１〜３のアルキル基である。Ｘは、炭素数１〜１２のアルキレン基又は−ＣＯＮＨＲ8−である。ここでＲ8は、炭素数１〜５のアルキレン基である。Ｒ5は水素原子又は炭素数１〜３のアルキル基もしくはヒドロキシアルキル基又はＲ2Ｒ3Ｃ＝Ｃ(Ｒ4)−Ｘ−である。Ｒ6は水素原子又は炭素数１〜３のアルキル基、又はヒドロキシアルキル基であり、Ｒ7は水素原子又は炭素数１〜３のアルキル基、ヒドロキシアルキル基、又はベンジル基であり、Ｚ-は陰イオンを示す。〕
【請求項２】
（ａ）の構成単位中、構成単位（ａ１）、構成単位（ａ２）及び構成単位（ａ３）の合計が５０〜１００モル％である請求項１記載の硬質表面用洗浄剤。
【請求項３】
（ａ）を０．０１〜５質量％、（ｂ）を０．０１〜２０質量％含有する請求項１又は２記載の硬質表面用洗浄剤。
【請求項４】
請求項１〜３の何れか１項記載の硬質表面用洗浄剤を硬質表面に適用し、水が接触した後に水滴の残留を防止し、乾燥速度を向上させる方法。
【発明の詳細な説明】
【技術分野】
【０００１】
本発明は、プラスチック製品（例えば家庭内における水まわり設備等）、金属製品等、種々の硬質表面用の洗浄剤に関する。
【背景技術】
【０００２】
家庭における水まわりの設備である浴室、浴槽、シンク等では、使用時に蛇口やシャワーからの水の飛び散り等により、使用後の設備材質表面に水滴が付着、残留しやすい。これらの水滴の残留は、浴室の場合には、湿気がこもり、カビ等の発生につながりやすく、また、シンクの場合は、残留する水滴が付着時の形状を保ちながら徐々に乾燥し小さいリング状の跡がつきやすくなる。このような不都合な状態に対して、消費者の一般的な対応は、例えば、シンクの場合では、ふきん等で改めて水の拭き取りを行い美観を保つための労力を払ったり、また、浴室、浴槽の場合は、窓、ドアの開放、あるいは、換気扇の作動等により湿気を浴室から排除し、乾燥を促す労力を払っているが、保安上の問題や屋外からの汚染物質侵入の問題、あるいは省エネルギーの観点からいずれも満足のいく対処方法ではなかった。
【０００３】
このような状況に対して消費者が手軽に浴室、浴槽、シンク等の水まわり設備に水滴を残さず素早く乾燥させる処理方法及び処理剤が求められていた。これまでに硬質表面の処理に関して開示されている技術として、特許文献１には、特定の界面活性剤とソイルリリースポリマーを含有する、自動車の塗装表面等の疎水性硬表面の洗浄防汚処理剤が、特許文献２、３には、界面活性剤と特定の水溶性ポリマーを含有する硬質表面用洗浄剤組成物が、特許文献４には、特定のカチオン性共重合ポリマーを含有する速乾性付与剤が開示されている。
【特許文献１】特開２００２−２６５９９６号公報
【特許文献２】特開平８−２５３７９６号公報
【特許文献３】特開平８−２５３７９７号公報
【特許文献４】特開２００３−１８３６９４号公報
【発明の開示】
【発明が解決しようとする課題】
【０００４】
しかし特許文献１〜４には、浴室、浴槽、シンク等の表面材質に対して乾燥を促進する効果は示されていない。このような状況から、手軽に浴室、浴槽、シンク等、水まわりの設備の硬質表面に水滴を残さず、素早く乾燥させる処理剤が求められている。また、こうした処理剤では、配合成分の相溶性が良好で液体安定性に優れたものが望ましい。
【０００５】
従って、本発明の課題は、浴室、浴槽、シンク等の水まわりの硬質表面に対して乾燥を促進する効果を付与でき、液体安定性に優れた処理剤を提供することである。
【課題を解決するための手段】
【０００６】
本発明は、（ａ）下記一般式（１）で表される構成単位（ａ１）、下記一般式（２）で表される構成単位（ａ２）、及び下記一般式（３）で表される化合物を重合して得られる構成単位（ａ３）を含有する高分子化合物〔以下、（ａ）成分という〕、（ｂ）界面活性剤〔以下、（ｂ）成分という〕、並びに（ｃ）水を含有する硬質表面用洗浄剤に関する。
【０００７】
【化２】
0005197927.tif 000002
【０００８】
〔式中、Ｒ1は炭素数１〜３のアルキル基であり、Ｒ2、Ｒ3、Ｒ4は、それぞれ独立して、水素原子又は炭素数１〜３のアルキル基である。Ｘは、炭素数１〜１２のアルキレン基又は−ＣＯＮＨＲ8−である。ここでＲ8は、炭素数１〜５のアルキレン基である。Ｒ5は炭素数１〜３のアルキル基もしくはヒドロキシアルキル基又はＲ2Ｒ3Ｃ＝Ｃ(Ｒ4)−Ｘ−である。Ｒ6は炭素数１〜３のアルキル基、又はヒドロキシアルキル基であり、Ｒ7は炭素数１〜３のアルキル基、ヒドロキシアルキル基、又はベンジル基であり、Ｚ-は陰イオンを示す。〕
【０００９】
また、本発明は、上記本発明の硬質表面用洗浄剤を硬質表面に適用し、水が接触した後に水滴の残留を防止し、乾燥速度を向上させる方法に関する。
【発明の効果】
【００１０】
本発明によれば、本発明の洗浄剤を水まわりの硬質表面に塗布後、すすぎを行うことにより、硬質表面の水切れ性が高められ、水滴の残留を防止し、乾燥の促進ができ、且つ安定性に優れる硬質表面洗浄剤を提供することができる。
【発明を実施するための最良の形態】
【００１１】
＜（ａ）成分＞
構成単位（ａ１）と構成単位（ａ２）と構成単位（ａ３）とを有する（ａ）成分の高分子化合物は、構成単位（ａ２）の由来となる単量体化合物と構成単位（ａ３）の由来となる単量体化合物とを共重合し、部分的にケン化することで得ることができる。例えば、一般式（２）中のＲ1がメチル基である高分子化合物として、重合性カチオン単量体（構成単位（ａ３）の由来となる化合物）と酢酸ビニルの共重合体を部分ケン化することで得られるカチオン化ポリビニルアルコールを使用することができる。
【００１２】
構成単位（ａ２）は、酢酸ビニル由来の基であることが好ましいが、本発明の水切れ性の作用効果から考える場合、前記一般式（２）のＲ1は炭素数１〜３のアルキル基であってもよい。
【００１３】
構成単位（ａ３）を構成するための具体的な単量体化合物（一般式（３）で表される化合物）としては、下記の（ｉ）〜（iii）から選ばれる化合物が挙げられ、このうち最も好ましいのは（ｉ）及び（iii）から選ばれる化合物である。
【００１４】
（ｉ）ジアリルジアルキル（該アルキル基の炭素数は１〜３、好ましくはメチル）アンモニウム塩、好ましくはＺ-が塩素イオンである塩。
（ii）Ｎ−（メタ）アクリロイルアミノアルキル（該アルキル基の炭素数は１〜５、好ましくは炭素数２〜３）−Ｎ，Ｎ−ジアルキル（該アルキル基の炭素数は１〜３、好ましくはメチル）アミンと酸との塩、好ましくはＺ-が塩素イオンである塩。
（iii）Ｎ−（メタ）アクリロイルアミノアルキル（該アルキル基の炭素数は１〜５、好ましくは炭素数２〜３）−Ｎ，Ｎ，Ｎ−トリアルキル（該アルキル基の炭素数は１〜３、好ましくはメチル）アンモニウム塩、好ましくはＺ-が塩素イオンである塩。
【００１５】
本発明において構成単位（ａ１）及び構成単位（ａ２）を有する構成単位が優れた速乾性を対象物に付与することを可能にする。中でも特に、構成単位（ａ１）は、硬質表面に親水性を付与し、構成単位（ａ２）、及び構成単位（ａ３）は、硬質表面への吸着に作用する因子であり、特に構成単位（ａ３）は、配合成分の相溶性、液体安定性に作用する因子であると考えている。
【００１６】
また、（ａ）成分においては、構成単位（ａ１）、（ａ２）、（ａ３）以外にも、本発明の効果を損ねない限りにおいて他の構成単位を含んでも良い。例えば−ＣＨ2ＣＨ2−、−ＣＨ2ＣＨ（ＣＯＯＨ）−、−ＣＨ2Ｃ（ＣＨ3）（ＣＯＯＨ）−、−ＣＨ2ＣＨ（Ｐｈ）−（Ｐｈはフェニル基）なる構成単位が挙げられる。
【００１７】
（ａ）成分の構成単位中、構成単位（ａ１）、構成単位（ａ２）、及び構成単位（ａ３）の合計が５０〜１００モル％、更に８０〜１００モル％、特には実質１００モル％であることが、配合成分の相溶性、液体安定性、及び効果の点から好ましい。
【００１８】
また、（ａ）の構成単位中、カチオン基を含む構成単位（ａ３）の割合は０．０１〜１０モル％、更に０．０１〜５モル％であることが、配合成分の相溶性、液体安定性、及び効果の点から好ましい。
【００１９】
また、（ａ）成分においては、構成単位（ａ１）及び構成単位（ａ２）のモル比が、（ａ１）／（ａ２）で１００〜１、好ましくは５０〜１．３、更に好ましくは２０〜１．５であることが、配合成分の相溶性、液体安定性、及び効果の点から好ましい。また、（ａ）成分の重量平均分子量は１０，０００〜１，０００，０００、更に１０，０００〜５００，０００、特に１０，０００〜２００，０００が好ましい。ここでいう重量平均分子量は、アセトニトリルと水の混合溶媒（リン酸緩衝液）を展開溶媒とし、ゲルパーミエーションクロマトグラフィーでポリエチレングリコールを標準として求めることができる。
【００２０】
＜（ｂ）成分＞
（ｂ）成分の界面活性剤としては、陰イオン界面活性剤、非イオン界面活性剤、陽イオン界面活性剤及び両性界面活性剤から選ばれる１種以上の界面活性剤が挙げられる。
【００２１】
陰イオン界面活性剤としては、炭素数１０〜１８の高級脂肪酸塩、炭素数１０〜１８のアルキル基又はアルケニル基を有するアルキル（又はアルケニル）ベンゼンスルホン酸塩、炭素数１０〜１８のアルキル基又はアルケニル基を有するポリオキシアルキレンアルキル（又はアルケニル）エーテル硫酸エステル塩、炭素数１０〜１８のアルキル基又はアルケニル基を有するアルキル（又はアルケニル）硫酸エステル塩、α−オレフィン（炭素数１０〜１８）スルホン酸塩、α−スルホ脂肪酸（炭素数１０〜１８）の低級アルキル（炭素数１〜２）エステル塩、炭素数１０〜１８のアルケニルコハク酸塩、二級アルカンスルホン酸塩（炭素数１３〜１８）、ポリオキシエチレンアルキルエーテルカルボン酸塩（炭素数１０〜１８）、ポリオキシエチレンアミドアルキルエーテルカルボン酸塩（炭素数８〜１８）等が挙げられる。中でも洗浄時の泡立ちや油性汚れに対する洗浄性の観点から、炭素数１０〜１８のアルキル基又はアルケニル基を有するアルキル（又はアルケニル）ベンゼンスルホン酸塩、α−オレフィン（炭素数１０〜１８）スルホン酸塩、ポリオキシエチレン（エチレンオキサイド平均付加モル数１〜６）アルキル（炭素数１０〜１８）エーテル硫酸エステル塩から選ばれる陰イオン界面活性剤を配合することが好ましい。陰イオン界面活性剤の塩は、アルカリ金属塩、エタノールアミン塩、あるいはアンモニウム塩が好ましい。また、洗浄時の泡立ちとすすぎを容易にする観点から炭素数１０〜１８の脂肪酸のアルカリ金属塩、あるいはエタノールアミン塩、あるいはアンモニウム塩を界面活性剤の一部として配合することが好ましい。
【００２２】
非イオン界面活性剤としては、炭素数１０〜１８のアルキル基を有するポリオキシアルキレンアルキルエーテル、炭素数１０〜１８のアルケニル基を有するポリオキシアルキレンアルケニルエーテル、炭素数１０〜１８の脂肪酸基を有するポリオキシアルキレンソルビタン脂肪酸エステル、炭素数８〜１８のアルキル基を有するアルキルポリグリコシド、炭素数８〜１８の脂肪酸基を有するショ糖脂肪酸エステル、炭素数８〜１８のアルキル基を有するアルキルポリグリセリルエーテル等が挙げられる。中でも油性汚れに対する洗浄性の観点から、炭素数１０〜１４のアルキル基を有するポリオキシエチレン（エチレンオキサイド平均付加モル数５〜２０）アルキルエーテルが好ましく、また、使用時の泡立ちの観点から炭素数８〜１８のアルキル基を有するアルキルポリグリコシド（糖縮合度１〜３）を配合することが好ましい。
【００２３】
陽イオン界面活性剤としては、アルキル（炭素数１０〜２０）トリメチルアンモニウム塩、ジアルキル（炭素数６〜１４）ジメチルアンモニウム塩、アルキル（炭素数６〜１８）ジメチルベンジルアンモニウム塩、ベンゼトニウム塩等が挙げられる。
【００２４】
両性界面活性剤としては、アルキルジメチルアミンオキサイドや脂肪酸アミドプロピルアミンオキサイド等のアミンオキサイド、アルキル−Ｎ，Ｎ−ジメチル酢酸ベタイン、アルキルカルボキシメチルヒドロキシエチルイミダゾリウムベタイン、アルキルヒドロキシスルホベタイン、アルキルアミノプロピオン酸等が挙げられる。中でも洗浄時の泡立ちや石鹸カス等のスカム汚れに対する洗浄性の観点から、アルキル（炭素数１０〜１６）ジメチルアミンオキシド、炭素数１２〜１４の脂肪酸アミドプロピル−Ｎ，Ｎ−ジメチル酢酸ベタイン、アルキル（炭素数１２〜１４）アミノプロピオン酸を配合することが好ましい。
【００２５】
これらの界面活性剤は複数を組み合わせて使用することが好ましい。
【００２６】
＜硬質表面用洗浄剤＞
本発明の硬質表面用洗浄剤は、液体であり、（ａ）成分を０．０１〜５質量％、特に０．０３〜３質量％含有することが好ましい。また、（ｂ）成分を０．１〜２０質量％、更に０．３〜１５質量％、特に０．５〜１０質量％含有することが好ましい。（ｂ）成分の一部として脂肪酸塩、もしくはポリオキシアルキレンアルキルエーテル硫酸エステル塩、もしくはα−オレフィンスルホン酸塩などが気泡性、すすぎ性を調整する目的で配合されるが、その場合は、これらの洗浄剤中での含有量は０．０５〜５質量％、更に０．１〜３質量％が好ましい。なお残部は水である。
【００２７】
また、（ａ）成分と（ｂ）成分の質量比は、（ａ）／（ｂ）＝１／５００〜２／１、更に１／１００〜１／１、特に１／５０〜１／２が好ましい。
【００２８】
本発明の硬質表面用洗浄剤には、炭素数１〜５の１価アルコール、炭素数２〜８の多価アルコール、または炭素数１〜８のアルキル基、あるいはアリール基を有するグリコールエーテル、または炭素数３〜８のアルキル基を有するグリセリルエーテル等の溶剤を、好ましくは洗浄剤中０．０１〜２０質量％、更に好ましくは０．０１〜１０質量％の割合で配合することができる。溶剤としては、エタノール、イソプロピルアルコール、エチレングリコール、プロピレングリコール、ジエチレングリコール、ジプロピレングリコール、グリセリン、イソプレングリコール、エチレングリコールモノアルキル（炭素数４〜８である）エーテル、ジエチレングリコールモノアルキル（炭素数４〜８である）エーテル、プロピレングリコールモノメチルエーテル、プロピレングリコールモノエチルエーテル、プロピレングリコールモノプロピルエーテル、プロピレングリコールモノブチルエーテル、ジプロピレングリコールアルキル（炭素数１〜４）エーテル、ポリオキシエチレン（エチレンオキサイド平均付加モル数１〜５）フェニルエーテル及びアルキル基の炭素数が３〜８のモノアルキルグリセリルエーテルから選ばれる溶剤が挙げられる。中でも油性汚れに対する洗浄性の観点から、プロピレングリコールモノブチルエーテル、ジプロピレングリコールモノブチルエーテル、ジエチレングリコールモノブチルエーテル、ポリオキシエチレン（エチレンオキサイド平均付加モル数３）フェニルエーテルを配合することが好ましい。
【００２９】
また、本発明の硬質表面用洗浄剤には、キレート剤を、好ましくは洗浄剤中０．０１〜１５質量％、更に好ましくは０．０１〜１０質量％の割合で配合することができる。キレート剤としては、エチレンジアミン四酢酸、ヒドロキシイミノ二酢酸、ジヒドロキシエチルグリシン、ニトリロ三酢酸、ヒドロキシエチレンジアミン三酢酸、アルキル（炭素数１〜３）グリシン−Ｎ，Ｎ−ジ酢酸、アスパラギン酸−Ｎ，Ｎ−ジ酢酸、セリン−Ｎ，Ｎ−ジ酢酸、グルタミン酸−Ｎ，Ｎ−ジ酢酸、エチレンジアミン−Ｎ，Ｎ−ジコハク酸、及びこれらのアルカリ金属塩もしくはアルカリ土類金属塩；アミノトリメチレンホスホン酸、１−ヒドロキシエチリデン−１，１−ジホスホン酸、エチレンジアミンテトラメチレンホスホン酸、ジエチレントリアミンペンタメチレンホスホン酸、及びこれらのアルカリ金属塩もしくはアルカリ土類金属塩；クエン酸、コハク酸、リンゴ酸、フマル酸、酒石酸、マロン酸、マレイン酸から選ばれる多価カルボン酸及びそれらのアルカリ金属塩から選ばれる１種以上、等が挙げられる。
【００３０】
また、本発明の硬質表面用洗浄剤には、ハイドロトロープ剤を、好ましくは洗浄剤中０．０１〜１５質量％、更に好ましくは０．０１〜１０質量％の割合で配合することができる。ハイドロトロープ剤としては、炭素数１〜３のアルキル基が１〜３個置換したベンゼンスルホン酸又はその塩を挙げることができる。より具体的に好ましい例としては、ｐ−トルエンスルホン酸、ｍ−キシレンスルホン酸、ｐ−クメンスルホン酸、エチルベンゼンスルホン酸等が挙げられ、塩を用いる場合にはナトリウム塩、カリウム塩、マグネシウム塩が良好である。
【００３１】
また、本発明の硬質表面用洗浄剤には、上記成分の他に、本発明の効果を損なわない範囲で、例えば香料、抗菌剤、粘度調整剤、顔料、染料、懸濁剤などを添加することができる。ただし、（ａ）成分以外のポリビニルアルコールないし変性ポリビニルアルコールは本発明の効果を損ねるおそれがあるため、（ａ）成分の質量％[Ａ]に対して（ａ）成分以外のポリビニルアルコールないし変性ポリビニルアルコールの質量％[Ｂ]は、[Ｂ]／[Ａ]＝０．４以下、好ましくは０．２５以下、更には０．１以下であることが好ましい。
【００３２】
本発明の硬質表面用洗浄剤は、硬質表面の処理に応じて組成を調整する。また、それぞれの濃厚溶液を調製しておき、使用時に希釈して用いることもできる。
【００３３】
また、本発明の硬質表面用洗浄剤の２０℃におけるｐＨは、２〜１１、更に３〜１０、特に４〜８が作業時の安全性、及び基材に対する損傷性の点から好適である。ｐＨ調節剤としては塩酸や硫酸など無機酸や、クエン酸、コハク酸、リンゴ酸、フマル酸、酒石酸、マロン酸、マレイン酸などの有機酸などの酸剤や、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独もしくは複合して用いても構わない。また、これらの酸剤とアルカリ剤を組み合わせて緩衝剤系として用いても構わない。
【００３４】
硬質表面への本発明の洗浄剤の適用方法は、硬質表面の広さ（面積）等に応じて選択できる。例えば（ａ）成分の含有量が０．５質量％の水溶液を、１０ｃｍ2あたり０．１〜３ｍＬ程度スプレーしてスポンジ等を用いて薄く塗りのばして処理することにより行うことができる。
【００３５】
本発明の洗浄剤は、油汚れ、タンパク質汚れ、皮脂汚れ等に対する洗浄効果を有すると供に、疎水性の硬質表面に対して良好な親水性を付与することができ、しかもその持続効果にも優れる。従って、本発明により、本発明の硬質表面用洗浄剤を、疎水表面に適用することで、持続性のある親水性を付与する、硬質表面の処理方法が提供される。また、本発明の洗浄剤は、単に硬質表面を親水化するのみではなく、乾燥が促進される。これは硬質表面が親水化することで、表面に水滴がほとんど残らない水切れ現象（例えば、表面が一端水膜で覆われた後、やがて上端からゆっくりと水が切れていく現象等）が起こり、結果として硬質表面の乾燥が促進されると考えられる。また、ガラスやタイルなどの親水性表面に対しても上述の水切れ現象が起こり、乾燥が促進される。これらの効果を付与した硬質表面は、カビが発生し難いため、本発明の洗浄剤は防カビ処理用としても好適である。また、親水性が良好であるため硬質表面に付着した汚れ、特に疎水性汚れを水で容易に洗い流すことができるため、本発明の洗浄剤は防汚処理用としても好適である。これらのことから、本発明により、水が接触する環境、特に水が断続的に接触する環境に置かれ、且つ地面に対して傾斜ないし垂直に設置されている硬質表面に、本発明の硬質表面用洗浄剤を接触させることで、水が接触した際の硬質表面の水切れ性を向上させる方法が提供される。
【００３６】
本発明の洗浄剤は、水まわりの設備等を構成する硬質表面、例えば、プラスチック、セラミックス及び金属から選ばれる材質からなる疎水性の硬質表面に対して適用されることが好ましく、具体的には強化プラスチック（ＦＲＰ）、ポリ塩化ビニル、ポリプロピレン、ポリエチレン、ＡＢＳ、ナイロン、ステンレス、タイルなどに対して適用されることが好ましい。
【実施例】
【００３７】
表１に示す硬質表面用洗浄剤を調製し、以下の評価を行った。結果を表１に示す。なお、洗浄剤のｐＨは、水酸化ナトリウム及び塩酸により調整した。
【００３８】
（１）相溶性
調製直後の洗浄剤の様子を目視観察し、以下の基準で相溶性を評価した。
○：沈殿物を生成せず、透明に溶解した。
×：沈殿又は濁りが生じた。
【００３９】
（２）水切れ性
ＦＲＰ製の浴槽（６０ｃｍ×１００ｃｍ×５５ｃｍ）を用い、成人５人が入浴した後、１晩（９時間）放置し、その後排水し、自然乾燥した浴槽を評価用とした。市販のスプレヤーに表１の洗浄剤を充填し、上記浴槽に１０ｍＬスプレーし、スポンジで軽くこすった後、水ですすぎ、水切れ現象が起こるかどうかを視覚判定した。また、ＰＶＣ製プレート（３０ｃｍ×３０ｃｍ）に２ｍＬをスプレーし、スポンジで軽くこすった後、水ですすぎ、水切れ現象が起こるかどうかを視覚判定した。その際、以下の基準で水切れ性を評価した。
○：水切れ現象を起こす。
×：水切れ現象を起さない。
【００４０】
【表１】
0005197927.tif 000003
【００４１】
（注）
表中の成分は以下のものである。
・カチオン変性ＰＶＡ（ア）：酢酸ビニルとＮ−メタクリロイルアミノプロピル−Ｎ，Ｎ，Ｎ−トリメチルアンモニウムクロライドとの共重合物の部分ケン化物（全構成単位中、構成単位（ａ１）、構成単位（ａ２）及び構成単位（ａ３）の合計は１００モル％であり、構成単位（ａ３）は１．７モル％であり、構成単位（ａ１）及び構成単位（ａ２）のモル比は（ａ１）／（ａ２）＝７．３である。分子量は約９万である。）
・カチオン変性ＰＶＡ（イ）：酢酸ビニルとジアリルジメチルアンモニウムクロライドとの共重合物の部分ケン化物（全構成単位中、構成単位（ａ１）、構成単位（ａ２）及び構成単位（ａ３）の合計は１００モル％であり、構成単位（ａ３）は０．９モル％であり、構成単位（ａ１）及び構成単位（ａ２）のモル比は（ａ１）／（ａ２）＝６．７である。分子量は約９万である。）
・アニオン変性ＰＶＡ：酢酸ビニルとマレイン酸との共重合物の部分ケン化物（ケン化度９６モル％、アニオン変性度２モル％であり、分子量は約８万である。）
・未変性ＰＶＡ：ポリビニルアルコール（ケン化度８８モル％、分子量は約８万である。）
・アルキルベンゼンスルホン酸ナトリウム：アルキル基の炭素数１０〜１６
・α−オレフィンスルホン酸ナトリウム：炭素数１０〜１８
・アルキルエーテル硫酸エステルナトリウム：ポリオキシエチレン（エチレンオキサイド平均付加モル数２．０）アルキル（炭素数１２〜１６）エーテル硫酸エステルナトリウム
・高級脂肪酸ナトリウム：炭素数１０〜１８の脂肪酸ナトリウム
・アルキルアミノプロピオン酸ナトリウム：アルキル基の炭素数１０〜１４
・ポリオキシエチレンアルキルエーテル：エチレンオキサイド平均付加モル数１０、アルキル基の炭素数１２〜１６
・アルキルグリコシド：アルキル（炭素数１０〜１６）ポリグルコース（平均糖縮合度１〜２）
・脂肪酸アミドプロピルベタイン：ラウリン酸アミドプロピル−Ｎ，Ｎ−ジメチル−酢酸ベタイン
・アミンオキサイド：アルキル基の炭素数１０〜１４
・アルキルジメチルベンジルアンモニウムクロライド：アルキル基の炭素数１２〜１６
・キレート剤：ＥＤＴＡ−４Ｎａ／クエン酸＝４（質量比）の混合物
【００４２】
なお、前記評価において検討された表１中の実施例１〜６、参考例１〜８の洗浄剤のうち、参考例１、実施例１〜６の洗浄剤は、特に泡立ちが良く、スポンジでの作業性が良好であったこと、また実施例１〜６の洗浄剤は、特にすすぎ時の泡切れが良好であったことを参考までに記しておく。